(57)【要約】【課題】隙間から挿入される針金等によっても扉が開放できず、遊技用制御基板等への不正な行為を防止することのできる遊技機用施錠装置を得る。【解決手段】遊技機用施錠装置７において、筺体３に開閉動自在となったフロントパネル５に設けられクランク軸９を有したシリンダー錠１１と、フロントパネル３に固定される先端Ｌ形の押圧爪１３と、筐体３に揺動自在に設けられ押圧爪１３の押圧により揺動する一方、揺動が規制されることで押圧爪１３をロックする揺動爪１５と、筐体３にスライド自在に設けられクランク軸９の先端が進入する係合穴を有したスライド板１７と、スライド板１７に固着されスライド板１７の一方向のスライド位置で揺動爪１５の揺動を規制する一方、スライド板１７の他方向のスライド位置で揺動爪１５の回転規制を解除し、且つスライド板１７を他方のスライド位置に保持する揺動規制爪１９とを設けた。【選択図】      図１
2004209080.tif 000002
【特許請求の範囲】
【請求項１】
筺体にヒンジを介して開閉動自在となったフロントパネルに設けられ遊技機前後方向の回動中心で回動し、かつ回動軸に固定されて連動するクランク軸を有したシリンダー錠と、
前記フロントパネルに固定され前記筐体側へ突出する先端Ｌ形の押圧爪と、
前記筐体に揺動自在に設けられ前記フロントパネルの閉動に伴う該押圧爪の押圧により揺動する一方、該揺動が規制されることで該押圧爪をロックして前記フロントパネルの開動を規制する揺動爪と、
前記筐体にスライド自在に設けられバネによって一方向へ付勢されるとともに、前記クランク軸の先端が角部に進入する係合穴を有したスライド板と、
該スライド板に固着され該スライド板の前記一方向のスライド位置で前記揺動爪に係合して該揺動爪の揺動を規制する一方、前記スライド板の他方向のスライド位置で前記揺動爪の回転規制を解除し、かつ揺動位置の該揺動爪に係止して前記スライド板を他方のスライド位置に保持する揺動規制爪と、
を具備したことを特徴とする遊技機用施錠装置。
【請求項２】
請求項１記載の遊技機用施錠装置において、
前記スライド板のスライド方向両端部に、前記揺動規制爪を固着し、
一対の該揺動規制爪に対応させて一対の前記揺動爪を前記筐体に設け、
一対の該揺動爪に対応させて一対の前記押圧爪を前記フロントパネルに固定したことを特徴とする遊技機用施錠装置。
【発明の詳細な説明】
【０００１】
【発明の属する技術分野】
本発明は、例えば回胴式遊技機（所謂、パチスロ）に用いて好適な遊技機用施錠装置に関し、特に、扉と筐体との隙間から挿入される針金等による不正行為を防止する改良技術に関する。
【０００２】
【従来の技術】
従来、遊技機の施錠装置として、例えば以下に示す特許文献１に開示されているものがある。これは、図１４に示すように、前面枠１００の開放側裏面にシリンダ錠１０１と、該シリンダ錠１０１の錠軸１０２に取付けられたカム板１０３と、上下一対の鉤片１０４，１０４を有する昇降杆１０５とを基枠体１０６を介して取り付けるとともに、外枠１０７の開放側内側面の上下位置に前記鉤片１０４，１０４が係脱する係止金具１０８，１０８を固着し、シリンダ錠１０１の回動操作によりカム板１０３を回動して昇降杆１０５を上下方向へ摺動させるとともに、係止金具１０８，１０８と鉤片１０４，１０４との係合を解除して前面枠１００を解錠するように構成されたものである。
【０００３】
【特許文献１】
実公昭５８−４５３８号公報
【０００４】
【発明が解決しようとする課題】
しかしながら、上記した遊技機用施錠装置は、前面枠１００の開閉端側の裏面に、昇降杆１０５，カム板１０３とを配設し、これらの機構部が前面枠１００の開閉端側の木口側に露出する状態となっていて、昇降杆１０５がカム板１０３だけによって上下摺動して、係止金具１０８に係脱する機構であったため、前面枠１００を閉鎖した場合であっても、前面枠１００と外枠１０７との隙間から針金等を挿入すれば、昇降杆１０５や鉤片１０４を係合解除する方向に直接移動させることも可能で、前面枠１００が開放されてしまい、容易に内部装置（遊技用制御基板等）に触れて不正な行為、悪戯ができ、高い施錠信頼性を得ることができなかった。
【０００５】
本発明は上記状況に鑑みてなされたもので、隙間から挿入される針金等によっても扉が開放できず、遊技用制御基板等への不正な行為を防止することのできる遊技機用施錠装置を提供し、施錠信頼性の向上を図ることを目的とする。
【０００６】
【課題を解決するための手段】
次に、上記の課題を解決するための手段を、実施の形態に対応する図面を参照して説明する。
この発明の請求項１記載の遊技機用施錠装置７は、筺体３にヒンジを介して開閉動自在となったフロントパネル５に設けられ遊技機前後方向の回動中心２１で回動し、かつ回動軸１１ａに固定されて連動するクランク軸９を有したシリンダー錠１１と、
前記フロントパネル５に固定され前記筐体３側へ突出する先端Ｌ形の押圧爪１３と、
前記筐体３に揺動自在に設けられ前記フロントパネル５の閉動に伴う該押圧爪１３の押圧により揺動する一方、該揺動が規制されることで該押圧爪１３をロックして前記フロントパネル５の開動を規制する揺動爪１５と、
前記筐体３にスライド自在に設けられバネ３１によって一方向へ付勢されるとともに、前記クランク軸９の先端が角部３３ａに進入する係合穴３３を有したスライド板１７と、
該スライド板１７に固着され該スライド板１７の前記一方向のスライド位置で前記揺動爪１５に係合して該揺動爪１５の揺動を規制する一方、前記スライド板１７の他方向のスライド位置で前記揺動爪１５の回転規制を解除し、かつ揺動位置の該揺動爪１５に係止して前記スライド板１７を他方のスライド位置に保持する揺動規制爪１９と、
を具備したことを特徴とする。
【０００７】
この遊技機用施錠装置７では、押圧爪１３に係止した揺動爪１５が揺動規制爪１９によってロックされ、この揺動規制爪１９を固着したスライド板１７が係合穴３３を介してクランク軸９にロックされる。すなわち、スライド板１７は、クランク軸９が係合穴３３の角部３３ａに進入しているので、シリンダー錠１１が解錠回転されなければ、スライドが不能となる。従って、筺体３とフロントパネル５との隙間から針金等を挿入しても、揺動爪１５は揺動規制爪１９に揺動が規制され、スライド板１７は係合穴３３を介してクランク軸９にスライドが規制されるので、押圧爪１３と揺動爪１５との係止を直接に動かして解除することができず、このような不正行為によるフロントパネル５の解錠が阻止される。また、フロントパネル５を閉動することにより、揺動爪１５が押圧爪１３に押圧されてロック方向に回転するので、フロントパネル５を閉動するのみでフロントパネル５を施錠することが可能となる。
【０００８】
請求項２記載の遊技機用施錠装置７は、請求項１記載の遊技機用施錠装置７において、
前記スライド板１７のスライド方向両端部に、前記揺動規制爪１９を固着し、一対の該揺動規制爪１９に対応させて一対の前記揺動爪１５を前記筐体３に設け、
一対の該揺動爪１５に対応させて一対の前記押圧爪１３を前記フロントパネル５に固定したことを特徴とする。
【０００９】
この遊技機用施錠装置７では、スライド板１７のスライド方向両端部に揺動規制爪１９が固着され、この一対の揺動規制爪１９に対応させて一対の揺動爪１５が筐体３に設けられ、この一対の揺動爪１５に対応させて一対の押圧爪１３がフロントパネル５に固定されているので、フロントパネル５を閉鎖すると、一対の押圧爪１３が、一対の揺動爪１５にロックされることとなる。従って、一つのスライド板１７を用いて、二つの揺動爪１５が作動され、フロントパネル５と筺体３とが、二組の押圧爪１３及び揺動爪１５で施錠可能となって、フロントパネル５の施錠信頼性が高められる。
【００１０】
【発明の実施の形態】
以下、本発明に係る遊技機用施錠装置の好適な実施の形態を図面を参照して詳細に説明する。
図１は本発明に係る遊技機用施錠装置の側面図、図２は図１のＡ−Ａ線断面図、図３は図１に示した遊技機用施錠装置の斜視図、図４はシリンダ錠の側面図を（ａ）に、一部裁断底面図を（ｂ）に、背面図を（ｃ）に示した構成図、図５は揺動爪及び揺動規制爪の側面図を（ａ）に、正面図を（ｂ）に、底面図を（ｃ）に示した構成図、図６は揺動爪及び揺動規制爪の斜視図、図７は図６の分解斜視図、図８は図６の固定板を省略した斜視図、図９は揺動状態の揺動爪を表す斜視図、図１０は図９の固定板を省略した斜視図である。
【００１１】
図１，図２に示すように、例えば回胴式遊技機である所謂、パチスロ等の遊技機１は、ヒンジ（図示せず）によって筐体３に対して開閉自在となった扉であるフロントパネル５を有している。フロントパネル５は、図示しないが、複数の操作スイッチや、筺体３に設けた回胴を目視可能とする窓部等を有している。遊技機１は、上記の回胴を回転する回転制御装置（図示せず）、操作スイッチ、遊技媒体払出し装置（図示せず）や、これらと電気的に接続され、回胴の回転や遊技媒体払出し数等を制御する遊技用制御基板等（図示せず）を筺体３に備えている。遊技機１は、これらの内部装置が、フロントパネル５を筺体３に対して閉鎖することにより外部から覆われている。
【００１２】
本実施の形態による遊技機用施錠装置７は、筺体３に対してフロントパネル５を施解錠するためのものである。図３に示すように、遊技機用施錠装置７は、クランク軸９を有したシリンダー錠１１と、押圧爪１３（図１参照）と、揺動爪１５と、スライド板１７と、揺動規制爪１９とを主要な構成要素として有している。
【００１３】
フロントパネル５は、図示しないヒンジを介して左右方向の一端側が筐体３に回動自在に支持され、左右方向の他端側が筐体３に対して開閉動される。シリンダー錠１１は、このフロントパネル５の開閉動される他端側に取付けられ、鍵穴１１ａをフロントパネル５の前面に表出させている。つまり、シリンダー錠１１は、遊技機１の前後方向の回動中心２１（図１参照）で回動する。クランク軸９は、図４に示すシリンダー錠１１の回動軸１１ａに基端軸９ａが固定され、クランク状に折り曲げられた先端軸９ｂが基端軸９ａに対して偏芯している。クランク軸９は、先端軸９ｂが筐体３に向かって突出している。
【００１４】
押圧爪１３は、フロントパネル５の背面の上下に位置し固定される。押圧爪１３は、先端が例えば下方へ折れ曲がるＬ形となり、筐体３側へ向かって突出する。この押圧爪１３は、後に詳述するようにＬ形先端１３ａで揺動爪１５を押圧するとともに、このＬ形先端１３ａで揺動爪１５に係止するようになっている。
【００１５】
揺動爪１５は、各押圧爪１３に対応して、筐体３に一対のものが配設される。筐体３には略Ｌ形の固定板２３が固定され、揺動爪１５はこの固定板２３の側板を貫通した支持ピン２５によって揺動自在に取付けられている。この支持ピン２５は、図１に示すように、軸線が遊技機１の左右方向となる。
【００１６】
揺動爪１５は、図５，図６に示すように、爪部１５ａが間隙１５ｂを有して離間されている。この爪部１５ａの反対側には突起１５ｃが突設されている。また、突起１５ｃの背面部は、離間した爪部１５ａを連結して形成した掛止部１５ｄ（図６参照）となっている。さらに、爪部１５ａの延出方向と略同方向となって当接部１５ｅが凹状の間隙部分を備えて突設されている。揺動爪１５は、図５（ａ）に示すように、爪部１５ａで押圧爪１３と係止する。そして、当接部１５ｅとの間に凹状の間隙部分に嵌入される。
【００１７】
筐体３には図３に示すベース板２７が固定される。スライド板１７は、このベース板２７に立設された一対の規制ピン２９ａ，２９ｂに、長穴１７ａ，１７ｂを係合することで、遊技機１の上下方向にスライド自在となっている。ベース板２７とスライド板１７とにはバネ３１が張架され、バネ３１はスライド板１７を一方向である図１の下方向へ付勢している。また、スライド板１７には図２に示す角部３３ａを有する係合穴３３が穿設されている。この係合穴３３には、クランク軸９の先端軸９ｂが進入する。係合穴３３に進入した先端軸９ｂは角部３３ａに配置されることで、スライド板１７の上下方向のスライドを規制する。
【００１８】
なお、クランク軸９の先端軸９ｂは、図４（ｂ）に示すように、クランク軸９に対して抜脱を阻止し、かつ進退自在に嵌入してあり、圧縮バネ３５によって先端軸９ｂを突出方向に付勢している。これにより、フロントパネル５の閉動時、仮にスライド不良によって先端軸９ｂが係合穴３３以外に当接した場合であっても、先端軸９ｂが圧縮バネ３５を圧縮してクランク軸９内に後退し、クランク軸９或いはスライド板１７が破損しないようになっている。
【００１９】
揺動規制爪１９は、図１，図３に示すように、スライド板１７の上下端に固着されている。また、揺動規制爪１９は、図７に示すように、固定板２３の側板を貫通した一対の支持ピン３７ａ，３７ｂによって、長穴１９ａを介してスライド方向にガイドされている。揺動規制爪１９は、略Ｌ形に形成され、図８に示すように、先端部１９ｂを揺動爪１５の突起１５ｃに当接して、揺動爪１５の回転を規制する。また、揺動規制爪１９は、スライド板１７のスライドにより、図９，図１０に示すように、揺動爪１５の間隙１５ｂに進入可能となっている。これにより、揺動爪１５は、突起１５ｃが揺動規制爪１９に当接しなくなり、図９，図１０に示すように図中反時計回りに回動可能となる。
【００２０】
さらに、揺動規制爪１９は、間隙１５ｂに進入した状態で、揺動爪１５が回転すると、別言するとフロントパネル５が開動されることにより押圧爪１３に連れ回りして回転すると、図８に示す肩部１９ｃが揺動爪１５の掛止部１５ｄに係止するようになっている（図９の状態）。これにより、揺動規制爪１９は、揺動状態の揺動爪１５に係止して、スライド板１７の一方向（図１２中下方向）へのスライドを規制するようになっている。つまり、スライド板１７は、上方向にスライドされたまま保持される。この保持は、揺動爪１５が押圧爪１３に押圧されて回転されることにより解除される。肩部１９ｃが掛止部１５ｄから外れると、スライド板１７は、再びバネ３１の付勢力によって図中下側へスライドされることになる（図１の状態）。
【００２１】
従って、揺動爪１５は、フロントパネル５の閉動に伴う押圧爪１３の押圧により揺動する一方、フロントパネル５の閉鎖時には、突起１５ｃが揺動規制爪１９の先端部１９ｂに当接して揺動が規制されることで、押圧爪１３をロック、すなわち揺動爪１５に保持し、フロントパネル５の開動を規制するようになっている。
【００２２】
次に、上記の構成を有する遊技機用施錠装置の作用を説明する。
図１１はスライド板の上方スライド状態の動作説明図、図１２はフロントパネル開動時の動作説明図、図１３はフロントパネル閉動時の動作説明図である。
【００２３】
図１に示すように、フロントパネル５の閉鎖状態では、スライド板１７がバネ３１の付勢力により、下方に配置され、揺動規制爪１９の先端部１９ｂが揺動爪１５の突起１５ｃに当接して（図６参照）、揺動爪１５の回転を阻止している。従って、揺動爪１５に押圧爪１３を係止したフロントパネル５は、筐体３からの開放が不能となって施錠状態となる。
【００２４】
一方、フロントパネル５を開放するのに、図１１に示すように、シリンダー錠１１に合鍵４１を挿入し、合鍵４１を回すと、クランク軸９が回転する。すると、スライド板１７が係合穴３３を介してクランク軸９によって、バネ３１の付勢力に抗して上方へ押し上げられる。スライド板１７が上方へスライドすると、揺動規制爪１９の先端部１９ｂと、揺動爪１５の突起１５ｃとの当接が解除され、同時に揺動規制爪１９が揺動爪１５の間隙１５ｂ内へと進入する。これにより、揺動爪１５は、規制が解除され、揺動可能状態となる。
【００２５】
この状態で図１２に示すように、フロントパネル５が手で開けられると、離反する押圧爪１３に連れ回りして、揺動爪１５が回転する。揺動爪１５は、回転することにより、掛止部１５ｄが揺動規制爪１９の肩部１９ｃに掛止する（図９参照）。これにより、スライド板１７は、揺動爪１５に掛止して上方のスライド位置に保持される。なお、クランク軸９は、フロントパネル５が開放されることにより、係合穴３３から抜脱される。合鍵４１は、フロントパネル５を開放した後、再び逆回りに回してシリンダー錠１１から抜く。これにより、クランク軸９は、回転されて、元の位置、すなわち下側にスライドされたスライド板１７の係合穴３３に進入可能な位置に復帰される。
【００２６】
次に、図１３に示すように、開放状態のフロントパネル５を閉めると、その閉動に伴って、押圧爪１３が揺動爪１５の当接部１５ｅを押圧する。揺動爪１５は、揺動することにより、掛止部１５ｄと肩部１９ｃとの掛止を解除する。この結果、スライド板１７は、バネ３１の付勢力により再び下方にスライドされる。さらに、フロントパネル５が閉動されると、下側にスライドされたスライド板１７の係合穴３３に、クランク軸９が進入する。
【００２７】
スライド板１７が下方にスライドすることにより、揺動規制爪１９が再び揺動爪１５の突起１５ｃに当接し、揺動爪１５は、押圧爪１３に係止した状態で揺動不能となる。この結果、再びフロントパネル５の押圧爪１３は、図１に示したように、揺動不能となった揺動爪１５に係止して、フロントパネル５を筐体３側へ施錠することとなる。
【００２８】
この遊技機用施錠装置７によれば、押圧爪１３に係止した揺動爪１５が揺動規制爪１９によってロックされ、この揺動規制爪１９を固着したスライド板１７が係合穴３３を介してクランク軸９にロックされる。すなわち、スライド板１７は、クランク軸９が係合穴３３の角部３３ａに進入しているので、シリンダー錠１１が解錠回転されなければ、スライドが不能となる。
従って、筐体３とフロントパネル５との隙間から針金等を挿入しても、揺動爪１５は揺動規制爪１９に揺動が規制され、スライド板１７は係合穴３３を介してクランク軸９にスライドが規制されるので、押圧爪１３と揺動爪１５との係止を直接に動かして解除することができず、このような不正行為によるフロントパネル５の解錠が阻止される。また、フロントパネル５を閉動することにより、揺動爪１５が押圧爪１３に押圧されてロック方向に回転するので、フロントパネル５を閉動するのみでフロントパネル５を施錠することが可能となる。
【００２９】
そして、この実施の形態による遊技機用施錠装置７では、スライド板１７のスライド方向両端部に揺動規制爪１９が固着され、この一対の揺動規制爪１９に対応させて一対の揺動爪１５が筐体３に設けられ、この一対の揺動爪１５に対応させて一対の押圧爪１３がフロントパネル５に固定されているので、フロントパネル５を閉鎖すると、一対の押圧爪１３が、一対の揺動爪１５にロックされることになる。従って、一つのスライド板１７を用いて、二つの揺動爪１５が作動され、フロントパネル５と筐体３とが、二組の押圧爪１３及び揺動爪１５で施錠可能となって、フロントパネル５の施錠信頼性が高められる。
【００３０】
なお、上記の実施の形態では、押圧爪１３，揺動爪１５及び揺動規制爪１９からなる施錠係止部を、スライド板１７の上下二箇所に配設する場合を例に説明したが、本発明に係る遊技機用施錠装置は、当該施錠係止部を一箇所としてもよく、また、二箇所以上配設するものであってもよい。
【００３１】
また、シリンダー錠１１は、解錠方向と反対方向に回転することで、内部装置である遊技用制御基板等のリセット操作を実行するように構成されている。
【００３２】
さらに、上記の遊技機用施錠装置７は、フロントパネル５のみを筐体３に対して開閉する遊技機１の場合を例に説明したが、本発明に係る遊技機用施錠装置は、この他、例えばフロントパネル５の前面に、さらに開閉自在な前面扉を有する構造の遊技機に用いられるものであってもよい。この場合、シリンダー錠１１は、別途の前面扉用施錠機構を付加することで、一方の回転でフロントパネル５を解錠し、他方の回転で前面扉を解錠する構成とすることが可能となる。
【００３３】
【発明の効果】
以上説明したように、本発明に係る請求項１記載の遊技機用施錠装置によれば、フロントパネルに押圧爪を固定し、この押圧爪をロックする揺動爪を筺体に設け、この揺動爪の揺動を規制するスライド板を筺体に設け、さらにスライド板のスライドをシリンダー錠のクランク軸によってスライド規制可能としたので、例えば、筺体とフロントパネルとの隙間から針金等を挿入しても、揺動爪は揺動規制爪に揺動が規制され、スライド板は係合穴を介してクランク軸にスライドが規制され、押圧爪と揺動爪との係止を直接に動かして解除することができず、このような不正行為によるフロントパネルの解錠を阻止することができる。また、フロントパネルを閉動することにより、揺動爪が押圧爪に押圧されてロック方向に回転するので、フロントパネルを閉動するのみでフロントパネルを施錠することができる。この結果、操作性を低下させることなく、施錠信頼性を向上させることができる。
【００３４】
請求項２記載の遊技機用施錠装置によれば、スライド板のスライド方向両端部に揺動規制爪を固着し、この一対の揺動規制爪に対応させて揺動爪を筐体に設け、この一対の揺動爪に対応させて押圧爪をフロントパネルに固定したので、一つのスライド板を用いて、二つの揺動爪を作動させることができ、フロントパネルと筺体とを、二組の押圧爪及び揺動爪で施錠でき、フロントパネルの施錠信頼性を向上させることができる。
【図面の簡単な説明】
【図１】本発明に係る遊技機用施錠装置の側面図である。
【図２】図１のＡ−Ａ線断面図である。
【図３】図１に示した遊技機用施錠装置の斜視図である。
【図４】シリンダ錠の側面図を（ａ）に、一部裁断底面図を（ｂ）に、背面図を（ｃ）に示した構成図である。
【図５】揺動爪及び揺動規制爪の側面図を（ａ）に、正面図を（ｂ）に、底面図を（ｃ）に示した構成図である。
【図６】揺動爪及び揺動規制爪の斜視図である。
【図７】図６の分解斜視図である。
【図８】図６の固定板を省略した斜視図である。
【図９】揺動状態の揺動爪を表す斜視図である。
【図１０】図９の固定板を省略した斜視図である。
【図１１】スライド板の上方スライド状態の動作説明図である。
【図１２】フロントパネル開動時の動作説明図である。
【図１３】フロントパネル閉動時の動作説明図である。
【図１４】従来の遊技機用施錠装置の斜視図である。
【符号の説明】
１…遊技機
３…筺体
５…フロントパネル
７…遊技機用施錠装置
９…クランク軸
１１…シリンダー錠
１１ａ…回動軸
１３…押圧爪
１５…揺動爪
１７…スライド板
１９…揺動規制爪
２１…回動中心
３１…バネ
３３…係合穴
３３ａ…角部
【図１】
2004209080.tif 000003
【図２】
2004209080.tif 000004
【図３】
2004209080.tif 000005
【図４】
2004209080.tif 000006
【図５】
2004209080.tif 000007
【図６】
2004209080.tif 000008
【図７】
2004209080.tif 000009
【図８】
2004209080.tif 000010
【図９】
2004209080.tif 000011
【図１０】
2004209080.tif 000012
【図１１】
2004209080.tif 000013
【図１２】
2004209080.tif 000014
【図１３】
2004209080.tif 000015
【図１４】
2004209080.tif 000016